(57)【特許請求の範囲】
【請求項１】
番組の放送スケジュールを示す情報を受信する受信手段と、
前記受信手段で受信した情報を記憶するもので、既に放送が終了した過去の番組の放送スケジュールを示す情報を破棄せずに保持しておく記憶手段と、
前記記憶手段に保持された情報に基づいて、既に放送が終了した過去番組の番組表を映像表示する過去番組表表示手段と、
前記過去番組表表示手段によって映像表示された過去番組の番組表から所望の番組を選択させる選択手段と、
前記選択手段で選択された過去番組と同じタイトルであって、これから放送を行なう未来の番組の受信予約を行なう制御手段とを具備することを特徴とするデジタル放送受信装置。
【請求項２】
前記制御手段は、
前記選択手段で選択された過去番組と同じタイトルの番組を、これから放送を行なう未来の番組の放送スケジュールを示す情報から検索する検索手段と、
前記検索手段によって検索された番組のリストを映像表示するリスト表示手段とを具備し、
前記リスト表示手段によって映像表示された番組のリストから所望の番組を選択し、当該選択された番組の受信予約を行なうことを特徴とする請求項１記載のデジタル放送受信装置。
【請求項３】
前記制御手段は、前記選択手段で選択された過去番組の放送スケジュールを示す情報と、これから放送を行なう未来の番組の放送スケジュールを示す情報とを用いて、前記選択手段で選択された過去番組と同じシリーズに所属する番組を検索することを特徴とする請求項１記載のデジタル放送受信装置。
【請求項４】
前記番組の放送スケジュールを示す情報は、長期的な放送スケジュールを記述した第１の情報と、短期的な放送スケジュールを記述し前記第１の情報よりも短い周期で送出される第２の情報とを有し、
前記記憶手段は、最初に前記第１の情報を記憶し、前記第２の情報が受信されたとき、前記第１の情報を前記第２の情報を用いて更新することを特徴とする請求項１記載のデジタル放送受信装置。
【請求項５】
前記制御手段は、前記選択手段で選択された過去番組の放送スケジュールを示す前記第１及び第２の情報を用いて、前記選択手段で選択された過去番組が他の番組と入れ替わって放送されたものである場合、放送されなかった番組を、これから放送を行なう未来の番組の放送スケジュールを示す情報から検索することを特徴とする請求項４記載のデジタル放送受信装置。
【請求項６】
番組の放送スケジュールを示す情報を受信する工程と、
受信した情報を記憶手段に記憶するもので、既に放送が終了した過去の番組の放送スケジュールを示す情報を破棄せずに保持しておく工程と、
前記記憶手段に保持された情報に基づいて、既に放送が終了した過去番組の番組表を映像表示する工程と、
映像表示された過去番組の番組表から所望の番組を選択する工程と、
選択された過去番組と同じタイトルであって、これから放送を行なう未来の番組の受信予約を行なう工程とを有することを特徴とするデジタル放送受信装置の制御方法。
【発明の詳細な説明】
【０００１】
【発明の属する技術分野】
この発明は、例えばデジタルテレビジョン放送等を受信するためのデジタル放送受信装置及びその制御方法に係り、特にその番組検索機能を改良したものに関する。
【０００２】
【従来の技術】
周知のように、首記の如きデジタル放送受信装置においては、一般に、ＥＰＧ（Electronic Program Guide）と称される電子番組ガイド機能が搭載されている。ユーザーは、このＥＰＧ機能を利用して番組の検索を行ない、選局、予約、内容確認等を行なうことになる。
【０００３】
このＥＰＧを表示するための放送スケジュール情報は、一般にオンエアで伝送されており、以下に述べる２つの特徴を有している。まず、第１の特徴は、送出される番組スケジュールの範囲が、現在時刻を基準としたある範囲に限定されるということである。
【０００４】
これは、オンエアを用いて伝送する情報であるために、ＥＰＧ情報の伝送に使用することができる帯域に制限が生じるからである。このため、ユーザーにとって最も意味のあると思われる、現在時刻から近い未来までのＥＰＧ情報を送出するようにしている。
【０００５】
例えば、現在時刻を基準として、１週間先までのＥＰＧ情報が送出されることになる。つまり、現在時刻よりも過去のＥＰＧ情報は送出されず、また、ユーザーがいつでも情報を取得することができるように、同じ内容の情報を繰り返し送出している。
【０００６】
第２の特徴は、放送スケジュールを伝える情報には、２つのタイプがあるということである。すなわち、送出されるＥＰＧ情報には、長期的なスケジュールを記述したＥＰＧ情報（schedule EPG：以下、schという）と、短期的なスケジュールを記述したＥＰＧ情報（present／following EPG：以下、p／fという）とがある。
【０００７】
つまり、例えば、schでは、１週間分のＥＰＧ情報を記述し、p／fでは、現在番組／次番組の情報を記述している。そして、schとp／fとでは、その記述範囲の違いから、送出周期も異なり、p／fはschに比べて短い周期で送出されている。
【０００８】
また、実際のデジタル放送の運用が、一旦送出したschと異なる内容での運用となる場合、つまり、既にschで送出した放送スケジュールとは異なる番組が放送されるような場合には、p／fに正しい情報を記述して送出することにより、ユーザーに通知するようにしている。
【０００９】
【発明が解決しようとする課題】
ところで、上記のようなデジタル放送を受信するデジタル放送受信装置では、送出されているＥＰＧ情報を受信して、ユーザーにＥＰＧを提示しているが、送出されるＥＰＧ情報が更新されれば、当然に提示されるＥＰＧの内容も変わり、時間の経過とともに過去のＥＰＧ情報は破棄されていくことになる。
【００１０】
すなわち、従来のデジタル放送受信装置では、過去のＥＰＧ情報を破棄しているとともに、送出されるＥＰＧ情報も現在時刻から未来の放送スケジュールを記述したものだけであるため、過去に放送していた番組に関する情報を取得することが全くできないようになっている。
【００１１】
なお、このようなデジタル放送受信装置に関連する技術としては、例えば特開平１０−２４８０５０公報等に開示されているものがあるが、この公開公報に記載された技術内容によっても、上記した事情が何ら改善されているわけでないことは明らかである。
【００１２】
そこで、この発明は上記事情を考慮してなされたもので、過去に取得した番組の放送スケジュールを示す情報を破棄せずに保持しておき、この過去の情報を今後の番組検索のために効果的に利用するようにした極めて良好なデジタル放送受信装置及びその制御方法を提供することを目的とする。
【００１３】
【課題を解決するための手段】
この発明に係るデジタル放送受信装置は、番組の放送スケジュールを示す情報を受信する受信手段と、受信手段で受信した情報を記憶するもので、既に放送が終了した過去の番組の放送スケジュールを示す情報を破棄せずに保持しておく記憶手段と、記憶手段に保持された情報に基づいて、既に放送が終了した過去番組の番組表を映像表示する過去番組表表示手段と、過去番組表表示手段によって映像表示された過去番組の番組表から所望の番組を選択させる選択手段と、選択手段で選択された過去番組と同じタイトルであって、これから放送を行なう未来の番組の受信予約を行なう制御手段とを備えるようにしたものである。
また、この発明に係るデジタル放送受信装置の制御方法は、番組の放送スケジュールを示す情報を受信する工程と、受信した情報を記憶手段に記憶するもので、既に放送が終了した過去の番組の放送スケジュールを示す情報を破棄せずに保持しておく工程と、記憶手段に保持された情報に基づいて、既に放送が終了した過去番組の番組表を映像表示する工程と、映像表示された過去番組の番組表から所望の番組を選択する工程と、選択された過去番組と同じタイトルであって、これから放送を行なう未来の番組に対して受信予約を行なう工程とを有するようにしたものである。
【００１４】
上記のような構成及び方法によれば、例えば、既に放送が終了した過去の番組の放送スケジュールを示す情報を映像表示して過去番組の検索を行ない、この検索された過去番組と同じタイトルまたはシリーズに所属する番組を、これから放送を行なう未来の番組の放送スケジュールを示す情報から検索したり、検索された過去番組が他の番組と入れ替わって放送されたものである場合、放送されなかった番組を、これから放送を行なう未来の番組の放送スケジュールを示す情報から検索したりすることができ、過去の番組の放送スケジュールを示す情報を今後の番組検索のために効果的に利用することができる。
【００１５】
【発明の実施の形態】
以下、この発明の実施の形態について、図面を参照して詳細に説明する。図１は、この実施の形態で説明するデジタルテレビジョン放送受信機１１を示している。すなわち、図示しないアンテナで受信したデジタルテレビジョン放送波は、チューナー１２に供給されて選局及び復調処理が施される。
【００１６】
そして、このチューナー１２から出力された信号は、多重DATA分離部１３に供給されて映像・音声情報とＥＰＧ情報とに分離される。このうち、映像・音声情報は、映像・音声再生部１４に供給されて再生処理された後、加算器１５を介してテレビジョン受信機１６での映像表示・音声再生に供される。
【００１７】
また、ＥＰＧ情報は、ＥＰＧデータ記憶部１７に記憶され、必要に応じて読み出される。この場合、ＥＰＧデータ記憶部１７に保持するＥＰＧ情報としては、最初にschで取得した情報を記憶し、その後に、p／fで取得した情報に更新するようにして、正確を期している。
【００１８】
そして、このＥＰＧデータ記憶部１７から読み出されたＥＰＧ情報は、ＯＳＤ（On-Screen Display）部１８で番組表のグラフィック映像に生成された後、加算器１５を介してテレビジョン受信機１６での映像表示に供される。
【００１９】
なお、上記チューナー１２、多重DATA分離部１３、映像・音声再生部、ＥＰＧデータ記憶部１７及びＯＳＤ部１８は、それらの動作を、ＣＰＵ（Central Processing Unit）１９によって総括的に制御されている。そして、このＣＰＵ１９は、ユーザーによるリモートコントローラ２０の操作情報を、リモコン受光部２１を介して受信するようになっている。
【００２０】
上記リモートコントローラ２０には、図２に示すように、１〜９，０，＊，＃よりなるテンキー、カーソル移動や画面シフトを行なう上下左右方向キー、決定キー、戻るキー及び番組表キー等が備えられている。
【００２１】
ここで、ＥＰＧデータ記憶部１７に記憶された過去のＥＰＧ情報を、今後の番組検索のために効果的に利用した具体例について説明する。
【００２２】
まず、リモートコントローラ２０の番組表キーが操作されると、図３（ａ）に示すような、現在時刻のＥＰＧ画面が表示される。この場合、番組Ｋの位置に、他の部分と表示色を異ならせた形態のカーソルが位置している。また、図中で下向きの矢印が、現在時刻を示している。
【００２３】
このように現在時刻のＥＰＧ画面が表示されている状態で、リモートコントローラ２０の左方向キーが操作されると、図３（ｂ）に示すように、表示時間が過去方向に順次シフトされて、既に放送の終了した過去の番組のＥＰＧ情報が画面表示される。この場合、過去番組Ａの位置にカーソルが位置している。
【００２４】
このように過去番組Ａがカーソルで選択された状態で、リモートコントローラ２０の決定キーが操作されると、図３（ｃ）に示すように、その選択した過去番組Ａと同じタイトルをもつ番組を、未来の放送スケジュールが記述されたＥＰＧ情報から検索した結果が画面表示される。この場合、１２月１４日放送分の位置にカーソルが位置している。
【００２５】
このように、過去番組Ａと同じタイトルをもつ番組の検索リストから、１２月１４日放送分の番組が選択された状態で、リモートコントローラ２０の決定キーが操作されると、図３（ｄ）に示すように、その番組を予約するか否かを問う画面が表示される。
【００２６】
この場合、「予約する」が選択されて決定キーが操作されれば、その番組の受信が予約され、「戻る」が選択されて決定キーが操作されれば、例えば図３（ｂ）に示した過去番組のＥＰＧ表示画面に戻される。
【００２７】
上記した実施の形態によれば、過去のＥＰＧ情報の中から既に放送が終了された番組Ａを選択し、この番組Ａと同じタイトルを有する番組を未来の放送スケジュールが記述されたＥＰＧ情報から検索して、その番組を予約することができるようにしたので、例えば、見逃してしまった番組の再放送を容易に検索することができる。
【００２８】
また、過去のＥＰＧ情報の中から既に放送が終了された番組Ａを選択し、この番組Ａと同一のシリーズに所属する番組を未来の放送スケジュールが記述されたＥＰＧ情報から検索して、その番組を予約することができるようにすることも可能である。
【００２９】
次に、ＥＰＧデータ記憶部１７に記憶された過去のＥＰＧ情報を、今後の番組検索のために効果的に利用した他の具体例について説明する。
【００３０】
まず、リモートコントローラ２０の番組表キーが操作されると、図４（ａ）に示すような、現在時刻のＥＰＧ画面が表示される。この場合、番組Ｋの位置に、他の部分と表示色を異ならせた形態のカーソルが位置している。また、図中で下向きの矢印が、現在時刻を示している。
【００３１】
このように現在時刻のＥＰＧ画面が表示されている状態で、リモートコントローラ２０の左方向キーが操作されると、図４（ｂ）に示すように、表示時間が過去方向に順次シフトされて、既に放送の終了した過去の番組のＥＰＧ情報が画面表示される。
【００３２】
この場合、過去番組Ｚの位置にカーソルが位置している。この番組Ｚは、予定されていた番組Ａと入れ替わって放送された番組であり、図中の◎は当初の放送予定から変更されて放送された番組であることを表わしている。
【００３３】
このように、予定されていた番組Ａと入れ替わって放送された過去番組Ｚが選択された状態では、リモートコントローラ２０の決定キーが操作されると、図４（ｃ）に示すように、放送されなかった番組Ａを未来の放送スケジュールが記述されたＥＰＧ情報から検索し、存在する場合、その番組Ａの放送日時とチャンネルとが画面表示されるとともに、その番組Ａを予約するか否かが問われる。
【００３４】
この場合、「予約する」が選択されて決定キーが操作されれば、その番組の受信が予約され、「戻る」が選択されて決定キーが操作されれば、例えば図４（ｂ）に示した過去番組のＥＰＧ表示画面に戻される。
【００３５】
上記のような動作によれば、過去に予定されていた番組Ａと入れ替わって放送された番組Ｚが選択された場合、放送されなかった番組Ａを未来の放送スケジュールが記述されたＥＰＧ情報から検索して、その番組を予約することができるようにしたので、例えば、放送スケジュールの変更により放送日時の変更された番組を容易に検索することができる。
【００３６】
なお、この発明は上記した実施の形態に限定されるものではなく、この外その要旨を逸脱しない範囲で種々変形して実施することができる。
【００３７】
【発明の効果】
以上詳述したようにこの発明によれば、過去に取得した番組の放送スケジュールを示す情報を破棄せずに保持しておき、この過去の情報を今後の番組検索のために効果的に利用するようにした極めて良好なデジタル放送受信装置及びその制御方法を提供することができる。
【図面の簡単な説明】
【図１】この発明に係るデジタル放送受信装置の実施の形態を説明するために示すブロック構成図。
【図２】同実施の形態におけるリモートコントローラの詳細を説明するために示す平面図。
【図３】同実施の形態における番組検索の一例を説明するために示す図。
【図４】同実施の形態における番組検索の他の例を説明するために示す図。
【符号の説明】
１１…デジタルテレビジョン放送受信機、
１２…チューナー、
１３…多重DATA分離部、
１４…映像・音声再生部、
１５…加算器、
１６…テレビジョン受信機、
１７…ＥＰＧデータ記憶部、
１８…ＯＳＤ部、
１９…ＣＰＵ、
２０…リモートコントローラ、
２１…リモコン受光部。
【図１】
0004427146.tif 000002
【図２】
0004427146.tif 000003
【図３】
0004427146.tif 000004
【図４】
0004427146.tif 000005